(57)【要約】      （修正有）【課題】無線通信システムのＵＥ（ユーザー端末）でＰＨＲ（パワーヘッドルーム報告）を実行する方法を提供する。【解決手段】複数のアップリンクキャリアを配置する段階と、少なくとも１つのＰＨＲ値を生成する段階とを含む。各ＰＨＲ値は複数のアップリンクキャリアにそれぞれ対応したＰＨＲ制御要素で報告される。ＰＨＲ制御要素には、各ＰＨＲ値に対応するアップリンクキャリアを識別するための識別フィールドが含まれる。報告は、伝搬損失の変化をトリガーとするか、または周期的に行われる。【選択図】図４
2010226720.tif 000002
【特許請求の範囲】
【請求項１】
無線通信システムのＵＥ（ユーザー端末）に用いられるパワーヘッドルーム報告（ＰＨＲ）を実行する方法であって、当該無線通信システムはキャリアアグリゲーション（ＣＡ）技術をサポートし、それにより当該ＵＥは配置されたアップリンクキャリアを通して送信することが可能であり、当該方法は、
複数のアップリンクキャリアを配置する段階と、
少なくとも１つのＰＨＲ値を生成する段階と
を含み、
前記少なくとも１つのＰＨＲ値のうち各ＰＨＲ値は、前記複数のアップリンクキャリアのうち１つのアップリンクキャリアにそれぞれ対応する、ＰＨＲ実行方法。
【請求項２】
前記少なくとも１つのＰＨＲ値はＰＨＲ制御要素（ｃｏｎｔｒｏｌ  ｅｌｅｍｅｎｔ）で運ばれる、請求項１に記載のＰＨＲ実行方法。
【請求項３】
前記少なくとも１つのＰＨＲ値のうち各ＰＨＲ値はそれぞれ１つのＰＨＲ制御要素で運ばれる、請求項２に記載のＰＨＲ実行方法。
【請求項４】
前記ＰＨＲ制御要素は、各ＰＨＲ値に対応するアップリンクキャリアを識別するための識別フィールドを含む、請求項２に記載のＰＨＲ実行方法。
【請求項５】
前記識別フィールドは、前記ＰＨＲ制御要素に対応するＭＡＣ（媒体アクセス制御）サブヘッダに含まれる、請求項４に記載のＰＨＲ実行方法。
【請求項６】
前記識別フィールドは、前記ＰＨＲ制御要素に含まれる、請求項４に記載のＰＨＲ実行方法。
【請求項７】
前記少なくとも１つのＰＨＲ値のうち各ＰＨＲ値はすべて同じＰＨＲ制御要素で運ばれる、請求項２に記載のＰＨＲ実行方法。
【請求項８】
前記ＰＨＲ制御要素は、前記少なくとも１つのＰＨＲ値の数量を示す指示フィールドを含む、請求項２に記載のＰＨＲ実行方法。
【請求項９】
前記少なくとも１つのＰＨＲ値の数量は前記複数のアップリンクキャリアの数量に等しい、請求項１に記載のＰＨＲ実行方法。
【請求項１０】
前記少なくとも１つのＰＨＲ値の数量は、前記複数のアップリンクキャリアのうちＰＨＲ機能が起動されたアップリンクキャリアの数量に等しい、請求項１に記載のＰＨＲ実行方法。
【請求項１１】
前記少なくとも１つのＰＨＲ値のうち各ＰＨＲ値は、対応する前記アップリンクキャリアを通して送信される、請求項１に記載のＰＨＲ実行方法。
【請求項１２】
前記少なくとも１つのＰＨＲ値のうち各ＰＨＲ値は、すべて前記複数のアップリンクキャリアのうち所定のアップリンクキャリアを通して送信される、請求項１に記載のＰＨＲ実行方法。
【請求項１３】
前記方法は更に、
前記複数のアップリンクキャリアのうち各アップリンクキャリアに対してそれぞれＰＨＲを実行する段階と、
前記複数のアップリンクキャリアのうち第一アップリンクキャリアに対応する前記ＰＨＲがトリガーされたときに、前記複数のアップリンクキャリアのうち第二アップリンクキャリアに対応する前記ＰＨＲをトリガーする段階とを含む、請求項１に記載のＰＨＲ実行方法。
【請求項１４】
前記第一アップリンクキャリアの前記ＰＨＲは、前記第一アップリンクキャリアの伝搬損失の変化によりトリガーされる、請求項１３に記載のＰＨＲ実行方法。
【請求項１５】
前記第一アップリンクキャリアの前記ＰＨＲは周期的タイマーによりトリガーされる、請求項１３に記載のＰＨＲ実行方法。
【請求項１６】
前記第二アップリンクキャリアに対応するタイマーｐｒｏｈｉｂｉｔＰＨＲ−Ｔｉｍｅｒは起動されていない、請求項１３に記載のＰＨＲ実行方法。
【請求項１７】
前記ＵＥは、前記アップリンクキャリアにそれぞれ対応し、対応するＰＨＲのトリガーを制御するための複数のタイマーを含む、請求項１に記載のＰＨＲ実行方法。
【請求項１８】
前記複数のタイマーのうち各タイマーは、対応するアップリンクキャリアのＰＨＲを周期的にトリガーする周期的タイマーｐｅｒｉｏｄｉｃＰＨＲ−Ｔｉｍｅｒである、請求項１７に記載のＰＨＲ実行方法。
【請求項１９】
前記複数のタイマーのうち各タイマーは、計時期間内に対応するアップリンクキャリアのＰＨＲのトリガーを禁止するｐｒｏｈｉｂｉｔＰＨＲ−Ｔｉｍｅｒである、請求項１７に記載のＰＨＲ実行方法。
【請求項２０】
前記複数のタイマーの数量は前記複数のアップリンクキャリアの数量に等しい、請求項１７に記載のＰＨＲ実行方法。
【請求項２１】
前記方法は更に、
前記複数のアップリンクキャリアのうち第三アップリンクキャリアに対応する前記ＰＨＲが送信されたときに、他アップリンクキャリアのトリガーされたＰＨＲをすべて取り消さない段階を含む、請求項１に記載のＰＨＲ実行方法。
【請求項２２】
無線通信システムのＵＥに用いられるＰＨＲを実行するための通信装置であって、当該無線通信システムはＣＡ技術をサポートし、それにより当該ＵＥは配置されたアップリンクキャリアを通して送信することが可能であり、当該通信装置は、
プログラムを実行するＣＰＵ（中央処理装置）と、
前記ＣＰＵに結合され、前記プログラムを記憶する記憶装置とを含み、前記プログラムは、
複数のアップリンクキャリアを配置する段階と、
少なくとも１つのＰＨＲ値を生成する段階と
を含み、
前記少なくとも１つのＰＨＲ値のうち各ＰＨＲ値は、前記複数のアップリンクキャリアのうち１つのアップリンクキャリアにそれぞれ対応する、通信装置。
【請求項２３】
前記少なくとも１つのＰＨＲ値はＰＨＲ制御要素で運ばれる、請求項２２に記載の通信装置。
【請求項２４】
前記少なくとも１つのＰＨＲ値のうち各ＰＨＲ値はそれぞれ１つのＰＨＲ制御要素で運ばれる、請求項２３に記載の通信装置。
【請求項２５】
前記ＰＨＲ制御要素は、各ＰＨＲ値に対応するアップリンクキャリアを識別するための識別フィールドを含む、請求項２３に記載の通信装置。
【請求項２６】
前記識別フィールドは、前記ＰＨＲ制御要素に対応するＭＡＣサブヘッダに含まれる、請求項２５に記載の通信装置。
【請求項２７】
前記識別フィールドは、前記ＰＨＲ制御要素に含まれる、請求項２５に記載の通信装置。
【請求項２８】
前記少なくとも１つのＰＨＲ値のうち各ＰＨＲ値はすべて同じＰＨＲ制御要素で運ばれる、請求項２３に記載の通信装置。
【請求項２９】
前記ＰＨＲ制御要素は、前記少なくとも１つのＰＨＲ値の数量を示す指示フィールドを含む、請求項２３に記載の通信装置。
【請求項３０】
前記少なくとも１つのＰＨＲ値の数量は前記複数のアップリンクキャリアの数量に等しい、請求項２２に記載の通信装置。
【請求項３１】
前記少なくとも１つのＰＨＲ値の数量は、前記複数のアップリンクキャリアのうちＰＨＲ機能が起動されたアップリンクキャリアの数量に等しい、請求項２２に記載の通信装置。
【請求項３２】
前記少なくとも１つのＰＨＲ値のうち各ＰＨＲ値は、対応する前記アップリンクキャリアを通して送信される、請求項２２に記載の通信装置。
【請求項３３】
前記少なくとも１つのＰＨＲ値のうち各ＰＨＲ値は、すべて前記複数のアップリンクキャリアのうち所定のアップリンクキャリアを通して送信される、請求項２２に記載の通信装置。
【請求項３４】
前記プログラムは更に、
前記複数のアップリンクキャリアのうち各アップリンクキャリアに対してそれぞれＰＨＲを実行する段階と、
前記複数のアップリンクキャリアのうち第一アップリンクキャリアに対応する前記ＰＨＲがトリガーされたときに、前記複数のアップリンクキャリアのうち第二アップリンクキャリアに対応する前記ＰＨＲをトリガーする段階とを含む、請求項２２に記載の通信装置。
【請求項３５】
前記第一アップリンクキャリアの前記ＰＨＲは、前記第一アップリンクキャリアの伝搬損失の変化によりトリガーされる、請求項３４に記載の通信装置。
【請求項３６】
前記第一アップリンクキャリアの前記ＰＨＲは周期的タイマーによりトリガーされる、請求項３４に記載の通信装置。
【請求項３７】
前記第二アップリンクキャリアに対応するタイマーｐｒｏｈｉｂｉｔＰＨＲ−Ｔｉｍｅｒは起動されていない、請求項３４に記載の通信装置。
【請求項３８】
前記ＵＥは、前記アップリンクキャリアにそれぞれ対応し、対応するＰＨＲのトリガーを制御するための複数のタイマーを含む、請求項２２に記載の通信装置。
【請求項３９】
前記複数のタイマーのうち各タイマーは、対応するアップリンクキャリアのＰＨＲを周期的にトリガーする周期的タイマーｐｅｒｉｏｄｉｃＰＨＲ−Ｔｉｍｅｒである、請求項３８に記載の通信装置。
【請求項４０】
前記複数のタイマーのうち各タイマーは、計時期間内に対応するアップリンクキャリアのＰＨＲのトリガーを禁止するｐｒｏｈｉｂｉｔＰＨＲ−Ｔｉｍｅｒである、請求項３８に記載の通信装置。
【請求項４１】
前記複数のタイマーの数量は前記複数のアップリンクキャリアの数量に等しい、請求項３８に記載の通信装置。
【請求項４２】
前記プログラムは更に、
前記複数のアップリンクキャリアのうち第三アップリンクキャリアに対応する前記ＰＨＲが送信されたときに、他アップリンクキャリアのトリガーされたＰＨＲをすべて取り消さない段階を含む、請求項２２に記載の通信装置。
【発明の詳細な説明】
【技術分野】
【０００１】
本発明はパワーヘッドルーム報告（ＰＨＲ）を実行する方法及び通信装置に関し、特にキャリアアグリゲーション（ＣＡ）技術をサポートするために、無線通信システムのＵＥ（ユーザー端末）でＰＨＲを実行する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に個別に設ける必要がなく、同一の通信ネットワークエンティティーに統合できるので、システム構造が比較的に簡単である。
【０００３】
ＬＴＥ無線通信システムにおいて、各ＭＡＣ  ＰＤＵ（媒体アクセス制御プロトコールデータユニット）は、ヘッダと、０または複数の制御要素（ｃｏｎｔｒｏｌ  ｅｌｅｍｅｎｔ）と、０または複数のＳＤＵ（サービスデータユニット）と、オプションとして存在するパッディング領域とを含む。そのうちＭＡＣ  ＰＤＵのヘッダは、ＭＡＣ  ＰＤＵにより運ばれる各制御要素、各ＳＤＵ、及びパディング領域にそれぞれ対応する１または複数のサブヘッダからなる。
【０００４】
現行の仕様書（３ＧＰＰ  ＴＳ  ３６．３２１、３６．２１３、３６．１３３）によれば、ＵＥで伝送されるＭＡＣ  ＰＤＵは、ＢＳＲ（バッファ状態報告）制御要素とＰＨＲ（パワーヘッドルーム報告）制御要素とを含む。ＢＳＲ制御要素はＢＳＲプロセスにより生成され、ＵＥのアップリンクバッファのデータ量をサービスを提供する基地局（エンハンスドノードＢともいう）に報告する。それに対してＰＨＲ制御要素はＰＨＲプロセスにより生成され、ＵＥの最大送信電力（ｍａｘｉｍｕｍ  ＴＸ  ｐｏｗｅｒ）とＵＬ−ＳＣＨ（アップリンク共有チャネル）送信に用いる予想送信電力との差をサービング基地局に報告する。したがって、ネットワークはＵＥから報告されたアップリンクバッファの状態とパワーヘッドルームなどの情報に基づいて、無線リソースの割り当てとスケジューリング決定を効率的に実行することができる。
【０００５】
一般に、ＵＥは以下のイベントの発生時にＰＨＲをトリガーする。（１）ＰＨＲを禁止するためのタイマーｐｒｏｈｉｂｉｔＰＨＲ−Ｔｉｍｅｒが止まり、かつＵＥの伝搬損失（ｐａｔｈ  ｌｏｓｓ）の変化が所定値ＤＬ＿ＰａｔｈｌｏｓｓＣｈａｎｇｅより大きい場合、（２）周期的報告タイマーＰｅｒｉｏｄｉｃＰＨＲ−Ｔｉｍｅｒが終了した場合、後者は周期的ＰＨＲと呼ばれる。ＰＨＲをトリガーした後、ＵＥが現ＴＴＩ（送信時間間隔）において新規送信のためにネットワークから割り当てられたアップリンクリソースを保有すれば、物理層からパワーヘッドルームを取得して対応するＰＨＲ制御要素を生成し、タイマーｐｒｏｈｉｂｉｔＰＨＲ−Ｔｉｍｅｒを再起動する。また、周期的ＰＨＲをトリガーした場合では、周期的報告タイマーＰｅｒｉｏｄｉｃＰＨＲ−Ｔｉｍｅｒを再起動する。ＰＨＲプロセスの詳しい動作については、関連仕様書（３ＧＰＰ  ＴＳ  ３６．３２１、３６．２１３、３６．１３３）を参照すればよく、ここで説明を省略する。
【０００６】
一方、将来各種サービスへの需要を満足するために、３ＧＰＰ（第三世代パートナーシッププロジェクト）はＬＴＥシステムの後につく次世代の無線通信システム、ＬＴＥ−Ａ（ＬＴＥアドバンスド）システムの仕様制定に取り組んでいる。ＬＴＥ−Ａシステムにはキャリアアグリゲーション（ＣＡ）技術が導入されている。この技術は、複数のコンポーネントキャリアを集約することで、ＵＥの送信帯域幅を拡大してスペクトル効率を向上させる。
【０００７】
現行のＣＡ技術は以下の特徴を有する。
（１）  連続したコンポーネントキャリアの集約をサポートすると同時に、非連続のコンポーネントキャリアの集約もサポートする。
（２）  アップリンクとダウンリンクの集約キャリア数が異なっても可能である。しかし、従来のシステムと互換するために、アップリンクとダウンリンクに同数のコンポーネントキャリアを配置しなければならない。
（３）  異なる送信帯域幅を得るために、アップリンクとダウンリンクに数量が異なったコンポーネントキャリアを配置することができる。
（４）  ＵＥにとって、各コンポーネントキャリアはトランスポートブロックを独力で送信し、独立したＨＡＲＱ（ハイブリッド自動リピート要求）メカニズムを有する。
【０００８】
しかし、ＣＡ技術が導入されたといっても、先行技術ではＣＡ動作時のＰＨＲ実行方法や、ＰＨＲのトリガー方法を規定していない。ＵＥが複数のコンポーネントキャリアを同時に利用して送信した場合、先行技術のように１つのパワーヘッドルームのみ報告すれば、基地局はＵＥの各アップリンクキャリアの電力状態を検知することができず、ＵＥに対してスケジューリングを効率的に実行することができないので、リソースを無駄にしかねない。したがって、詳しい定義が必要である。
【発明の概要】
【発明が解決しようとする課題】
【０００９】
本発明は主として、無線通信システムのＵＥでＰＨＲを実行する方法を提供する。
【課題を解決するための手段】
【００１０】
本発明では、無線通信システムのＵＥに用いられるＰＨＲを実行する方法を開示する。無線通信システムはキャリアアグリゲーション（ＣＡ）技術をサポートし、それによりＵＥは配置されたアップリンクキャリアを通して送信することが可能である。方法は、複数のアップリンクキャリアを配置する段階と、少なくとも１つのＰＨＲ値を生成する段階とを含む。少なくとも１つのＰＨＲ値のうち各ＰＨＲ値は、複数のアップリンクキャリアのうち１つのアップリンクキャリアにそれぞれ対応する。
【００１１】
本発明では更に、無線通信システムのＵＥに用いられるＰＨＲを実行するための通信装置を開示する。無線通信システムはＣＡ技術をサポートし、それによりＵＥは配置されたアップリンクキャリアを通して送信することが可能である。通信装置は、プログラムを実行するＣＰＵ（中央処理装置）と、ＣＰＵに結合され、プログラムを記憶する記憶装置とを含む。プログラムは、複数のアップリンクキャリアを配置する段階と、少なくとも１つのＰＨＲ値を生成する段階とを含む。少なくとも１つのＰＨＲ値のうち各ＰＨＲ値は、複数のアップリンクキャリアのうち１つのアップリンクキャリアにそれぞれ対応する。
【図面の簡単な説明】
【００１２】
【図１】無線通信システムを表す説明図である。
【図２】無線通信装置のブロック図である。
【図３】図２に示すプログラムを表す説明図である。
【図４】本発明の実施例による方法のフローチャートである。
【図５】本発明の他実施例による方法のフローチャートである。
【発明を実施するための形態】
【００１３】
図１を参照する。図１は無線通信システム１０を表す説明図である。無線通信システム１０は望ましくはＬＴＥ−Ａシステムであって、概してネットワークと複数のＵＥからなる。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１４】
図２を参照する。図２は無線通信装置１００のブロック図である。無線通信装置１００は図１に示すＵＥを実施する。説明を簡素化するため、図２では無線通信装置１００の入力装置１０２と、出力装置１０４と、制御回路１０６と、ＣＰＵ（中央処理装置）１０８と、記憶装置１１０と、プログラム１１２と、トランシーバー１１４のみ示している。無線通信装置１００において、制御回路１０６はＣＰＵ１０８を用いて記憶装置１１０に記憶されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１５】
図３を参照する。図３は図２に示すプログラム１１２を表す説明図である。プログラム１１２はアプリケーション層２００と、第三層インターフェイス２０２と、第二層インターフェイス２０６を備え、第一層インターフェイス２１８と接続されている。第三層インターフェイス２０２はＲＲＣ（無線リソース制御）を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１６】
ＬＴＥ−Ａ無線通信システムにおいて、プログラム１１２はキャリアアグリゲーション（ＣＡ）技術をサポートするので、ＵＥはネットワークにより配置された少なくとも１つのアップリンクキャリアを利用して送信することができる。また、第二層インターフェイス２０６のＭＡＣ層はＰＨＲ（パワーヘッドルーム報告）プロセスを実行し、ＵＥの電力使用状態をサービング基地局に報告し、ネットワークによる無線リソースの割り当てとスケジューリング決定を効率的にさせる。それに鑑みて、本発明の実施例ではＣＡ動作時にＰＨＲを実行し、システムスケジューリング機能を向上させるために、ＰＨＲプログラム２２０を提供する。
【００１７】
図４を参照する。図４は本発明の実施例による方法４０のフローチャートである。下記方法４０は、無線通信システムのＵＥにおいてＰＨＲを実行するために用いられ、ＰＨＲプログラム２２０としてコンパイルすることができる。方法４０は以下のステップを含む。
【００１８】
ステップ４００：開始。
ステップ４０２：複数のアップリンクキャリアを配置する。
ステップ４０４：少なくとも１つのＰＨＲ値を生成する。各ＰＨＲ値は、配置されたキャリアの中のアップリンクキャリアにそれぞれ対応する。
ステップ４０６：終了。
【００１９】
以上の方法４０によれば、ＣＡ動作時、ＵＥは各アップリンクコンポーネントキャリアに対応するＰＨＲ値を生成するので、ネットワークは各アップリンクコンポーネントキャリアの電力使用状態を取得することができる。したがって、ネットワークは無線リソースの割り当てとスケジューリング決定を効率的に実行することができる。
【００２０】
前述のように、各ＭＡＣ  ＰＤＵはヘッダと、０または複数の制御要素と、０または複数のＳＤＵと、オプションとして存在するパッディング領域とを含む。そのうちＭＡＣ  ＰＤＵのヘッダは、ＭＡＣ  ＰＤＵにより運ばれる各制御要素、各ＳＤＵ、及びパディング領域にそれぞれ対応する１または複数のサブヘッダからなる。
【００２１】
本発明の実施例では、各アップリンクコンポーネントキャリアのＰＨＲ値は、すべて所定のアップリンクコンポーネントキャリアで送信するか、またはそれぞれ対応するアップリンクコンポーネントキャリアで送信することができる。各アップリンクコンポーネントキャリアのＰＨＲ値をすべて所定のアップリンクコンポーネントキャリアで送信した場合、ＵＥは各アップリンクコンポーネントキャリアのＰＨＲ値に基づいて、同じＭＡＣ  ＰＤＵに対応する複数のＰＨＲ制御要素をそれぞれ生成する。この場合、各ＰＨＲ制御要素に、それにより運ばれるＰＨＲ値に対応するアップリンクキャリアを識別するための識別フィールドを設けることができる。この識別フィールドは、ＰＨＲ制御要素に対応するＭＡＣサブヘッダか、またはＰＨＲ制御要素に入れることが可能である。
【００２２】
もっとも、他実施例として、ＵＥで符号化方式により各アップリンクコンポーネントキャリアのＰＨＲ値を１つのＰＨＲ制御要素に載せることもできる。この場合、ＰＨＲ制御要素に、それにより運ばれるＰＨＲ値の数量を示す指示フィールドを設けることが必要である。或いは、各ＰＨＲ制御要素に、それにより運ばれるＰＨＲ値に対応するアップリンクキャリアを識別するための識別フィールドを設けてもよい。この識別フィールドは、ＰＨＲ制御要素に対応するＭＡＣサブヘッダか、またはＰＨＲ制御要素に入れることが可能である。
【００２３】
一方、各アップリンクコンポーネントキャリアのＰＨＲ値を、それぞれ対応するアップリンクコンポーネントキャリアで送信した場合、ＵＥは各アップリンクコンポーネントキャリアのＰＨＲ値に基づいて、異なるＭＡＣ  ＰＤＵにそれぞれ対応する複数のＰＨＲ制御要素を生成する。同じく、各ＰＨＲ制御要素に、それにより運ばれるＰＨＲ値に対応するアップリンクキャリアを識別するための識別フィールドを設けることができる。
【００２４】
注意すべきは、ＵＥにより生成されたＰＨＲ値の数量は一般に、配置されたアップリンクキャリアの数量に等しい。しかし、特定の場合、例えば一部のアップリンクコンポーネントキャリアのＰＨＲ機能が起動されていない場合では、ＵＥにより生成されたＰＨＲ値の数量はＣＡ動作時に配置されたアップリンクキャリアの数量より小さく、ＰＨＲ機能が起動されたアップリンクキャリアの数量のみに等しいことがありうる。このような修正も本発明の範囲に属する。
【００２５】
まとめて言えば、ＣＡ動作時、ＵＥは各アップリンクコンポーネントキャリアに対応するＰＨＲ値を生成するので、ネットワークは各アップリンクコンポーネントキャリアの電力使用状態を取得し、無線リソースの割り当てとスケジューリング決定を効率的に実行することができる。
【００２６】
図５を参照する。図５は本発明の他実施例による方法５０のフローチャートである。下記方法５０は、無線通信システムのＵＥで実行するＰＨＲに用いられ、ＰＨＲプログラム２２０としてコンパイルすることができる。方法５０は以下のステップを含む。
【００２７】
ステップ５００：開始。
ステップ５０２：各アップリンクキャリアに対してそれぞれＰＨＲを実行する。
ステップ５０４：第一アップリンクキャリアに対応するＰＨＲがトリガーされたときに、第二アップリンクキャリアに対応するＰＨＲをトリガーする。
ステップ５０６：終了。
【００２８】
以上の方法５０によれば、ＣＡ動作時、ＵＥは配置された各アップリンクコンポーネントキャリアに対してそれぞれＰＨＲを実行する。この場合、第一アップリンクキャリアに対応するＰＨＲがトリガーされたときに、第二アップリンクキャリアに対応するＰＨＲをトリガーする。言い換えれば、本発明の実施例では、各アップリンクキャリアのＰＨＲ実行は連動している。
【００２９】
例えば、第一アップリンクキャリアの伝搬損失の変化に基づいて第一アップリンクキャリアのＰＨＲをトリガーするとすれば、同じ時間に第二アップリンクキャリアの伝搬損失も変化しうるので、ＵＥは第二アップリンクキャリアまたは他のアップリンクキャリアのＰＨＲをトリガーする。したがって、ネットワークは各アップリンクキャリアの電力使用状態を取得し、ＵＥに対してスケジューリングを効率的に実行することができる。
【００３０】
もっとも、周期的タイマーで第一アップリンクキャリアのＰＨＲをトリガーすることも可能である。各アップリンクキャリアのＰＨＲが連動するものであれば、すべて本発明の範囲に属する。
【００３１】
先行技術で述べたように、ＬＴＥシステムのＵＥは周期的報告タイマーＰｅｒｉｏｄｉｃＰＨＲ−Ｔｉｍｅｒと、ＰＨＲ禁止タイマーｐｒｏｈｉｂｉｔＰＨＲ−Ｔｉｍｅｒを利用してＰＨＲのトリガーを制御する。しかし、ＣＡ技術をサポートするＬＴＥ−Ａシステムでは、アップリンクキャリアごとにＰＨＲを実行しなければならないので、ＵＥに１組のタイマーのみ配置するだけでは各ＰＨＲのトリガーを有効に制御することができない。
【００３２】
したがって、対応するＰＨＲのトリガーを制御するために、本発明の実施例によるＵＥは各アップリンクキャリアにそれぞれ対応する複数組のタイマーを含む。このタイマーとして周期的報告タイマーＰｅｒｉｏｄｉｃＰＨＲ−Ｔｉｍｅｒ、またはＰＨＲ禁止タイマーｐｒｏｈｉｂｉｔＰＨＲ−Ｔｉｍｅｒを利用することができるが、本発明はそれに限らない。また、各タイマーの数量は望ましくは、ＣＡ動作時に配置されるアップリンクキャリアの数量に等しい。
【００３３】
一方、特定のアップリンクキャリアのＰＨＲが送信されても、本発明の実施例では他アップリンクキャリアのトリガーされたＰＨＲをすべて取り消さない。したがって、ネットワークは各アップリンクキャリアの電力使用状態を取得することができる。このような修正も本発明の範囲に属する。
【００３４】
まとめて言えば、ＣＡ動作時、ＵＥは配置されたアップリンクキャリアごとにＰＨＲを実行しなければならない。それに鑑みて、本発明の実施例では各アップリンクキャリアのＰＨＲを連動させるＰＨＲのトリガー方法を提供する。したがって、ネットワークは各アップリンクコンポーネントキャリアの電力使用状態を取得し、無線リソースの割り当てとスケジューリング決定を効率的に実行することができる。
【００３５】
注意すべきは、説明を容易にするために、以上は本発明を方法４０と方法５０に分けて説明する。当業者に理解できるように、前記方法４０と方法５０を合併した実施形態も、本発明の範囲に属する。
【００３６】
総じて言えば、本発明はＣＡ技術をサポートするために、無線通信システムのＵＥでＰＨＲを実行する方法及び通信装置を提供する。
【００３７】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００３８】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＰＨＲプログラム
【図１】
2010226720.tif 000003
【図２】
2010226720.tif 000004
【図３】
2010226720.tif 000005
【図４】
2010226720.tif 000006
【図５】
2010226720.tif 000007